(57)【特許請求の範囲】
【請求項１】
散布剤を収容した包装体(100)を吊下保持し、これを背負って散布作業を行なうための散布用背負具であって、
吊り下げられた包装体の散布口(102)に係合し、包装体(100)を安定に保つ保持リング(27)を備えたことを特徴とする、散布用背負具。
【請求項２】
吊り下げられた包装体の散布口(102)から延びる散布用ノズル(110)に係合して、使用者の背中側から前方側へと当該ノズル(110)を案内する保持ガイド機構(60)をさらに備えたことを特徴とする、請求項１記載の散布用背負具。
【請求項３】
上記保持ガイド機構(60)は、鉛直軸回りに回動可能に背負具に連結された板部材(61)と、
当該板部材(61)の表面に、当該表面に沿って回動可能に連結され、上記散布用ノズル(110)に係合する断面略Ｃ字状の保持板(65)と、
で構成されていることを特徴とする、請求項２記載の散布用背負具。
【請求項４】
フレーム材で骨格が構成された請求項１、２または３記載の散布用背負具であって、
上記フレーム材に回動可能に連結されたＵ字状の折畳式脚部(50)を備え、当該折畳式脚部(50)とフレーム材(40)とが、両者を連結するストラップ(55)によって一定の相対角度に維持され、これにより、当該背負具が自立機能を備えることを特徴とする、背負具。
【発明の詳細な説明】
【０００１】
【発明の属する技術分野】
本発明は、農薬散布の際、散布剤を収容した袋等を吊り下げて背中に保持するための背負具に関する。
【０００２】
【従来の技術および発明が解決しようとする課題】
農耕地に農薬や肥料等を散布する際に使用される散布装置としては、図１に示したような、金属フレーム１に強度の高い厚手の布袋２が装着されたものが従来から知られている。袋２の一端に設けた開口部３にノズル４が連結されており、使用者は、図２に示したように散布装置を背負って散布作業を行う。
【０００３】
しかしながら、図１の散布装置では、購入時に包装袋に入っていた散布剤を、散布時に布袋２に移し替えるという作業が必要になるうえ、散布後には、布袋２を洗う必要があり、非常に面倒である。かかる問題を解消するため、袋に入れて販売された散布剤を、そのまま袋ごと吊下保持して薬剤散布を行なうことが考えられる。
【０００４】
本発明は、そのような散布剤収容袋を吊下保持する散布装置において、散布作業時の取扱いを向上させることを目的としている。
【０００５】
【課題を解決するための手段・作用・効果】
本発明は、上記課題を有効に解決するために創案されたものであり、以下の特徴を備えた散布用背負具を提供するものである。
【０００６】
本発明の散布用背負具は、散布剤を収容した包装体(包装袋や包装箱等)を吊下保持し、これを背負って散布作業を行なうのに使用される。本発明の散布用背負具は、「吊り下げられた包装体の散布口に係合し、包装体を安定に保つ保持リング」を備えたことを特徴としている。
【０００７】
上記構成を有する本発明の背負具においては、包装体の散布口を保持リングが固定するので、吊下状態にある包装体が背中側で安定保持されて、バタつくことがない。したがって、散布作業を快適に行なうことができる。
【０００８】
本発明の散布用背負具においては、「吊り下げられた包装体の散布口から延びる散布用ノズルに係合して、使用者の背中側から前方側へと当該ノズルを案内する保持ガイド機構」を備えていてもよい。これにより、散布作業時にノズルが安定するというメリットがある。
【０００９】
本発明の散布用背負具は、フレーム材で骨格が構成されていることが好ましい。これにより、背負具の軽量化を図ることができる。また、Ｕ字状の折畳式脚部をフレーム材に回動可能に連結して設けることが好ましい。この折畳式脚部は、ストラップによってフレーム材と連結されており、ストラップにより折畳式脚部とフレーム材とが一定の相対角度に維持されることで、当該背負具が自立機能を備えることとなる。
【００１０】
【発明の実施の形態】
本発明の実施形態を添付の図面を参照して以下に詳細に説明する。図３は、本発明の一実施形態に係る背負具10を示す斜視図である。
【００１１】
フレーム製の骨格
背負具10は、金属製フレームで骨格が構成されている。すなわち、鉛直方向に延びる２本の鉛直フレーム12、13が、その上端において、水平方向に延びる水平フレーム11で連結されている。フレーム11、12、13は、図示の例では一体物である。互いに平行に延びる２本の鉛直フレーム12、13は、さらに３本の水平フレーム20、30、40によって連結固定されている。これらの水平フレームは、クッションとして機能する弾性部材21ａ、21ｂ、31、41ａ、41ｂによって、その全体または一部が覆われている。
【００１２】
背負具10は、破線によって概略図示した２本の肩掛けベルト18を備えている。各ベルト18は、水平フレーム20および40を連結するようにして固定されており、ユーザは、このベルトを利用して、背負具10を背中に背負うことができる。図示の例では、背負具が金属フレームの骨格を有しているので、比較的軽量化であって、背負うのに都合が良い。
【００１３】
折畳式脚部
背負具10は、鉛直フレーム12および13に回動可能に連結された折畳式脚部50を備えている。折畳式脚部50は、全体がＵ字状のフレーム材で構成されていて、互いに平行に延びる平行フレーム52、53と、平行フレームを連結する底部フレーム51と、を備える。平行フレーム52、53が、それぞれ、鉛直フレーム12、13に回動可能に連結されている。底部フレーム51は、実際に地面に接する部分である。
【００１４】
底部フレーム51は、ストラップ55により、水平フレーム40と連結されている。ストラップ55により、背負具10に対する折畳式脚部50の最大角度が制限される。すなわち、折畳式脚部50は、図３および図５に示した状態よりも大きな角度に拡がることが禁止される。図３および図５に示した状態では、背負具10が自立可能となり、散布作業の途中で休憩をとる場合等に便利である。一方、折畳式脚部50は、背負具10に対して回動可能に連結されているので、保管時等には、折畳式脚部50を折り畳むことで、背負具全体が１枚の板状となるので、保管場所として大きなスペースが必要になることもない。
【００１５】
吊下機構
水平フレーム11に沿って、フック取付板15が固定されていて、その両側にフック16ａ、16ｂが設けられている。このフック部には、図４に示したような包装袋100が吊下保持される。包装袋100は、散布剤を収容した状態で販売されており、上方側左右の位置に引掛用孔101を備えている。図５に示したように、ユーザは、購入した散布剤を袋ごとフック16ａ、16ｂに吊り下げて散布作業を行なうことができる。
【００１６】
樹脂製リング(保持リング)
水平フレーム20と30との間のスペースにおいて、布材25が鉛直フレーム12および13の周囲に巻き付け固定されている(図３参照)。布材25の中央部にはストラップ26が縫い付けられていて、このストラップ26が樹脂製リング27を保持している。図５中に矢印で示したように、樹脂製リング27は、吊下状態にある包装袋100の散布口102に係合して、包装袋100の吊下状態を安定に保つ。これにより、散布作業中においても、包装袋100が安定して保持されるので、快適に散布作業を行なうことができる。樹脂製リング27には、布製の摘み部28が縫い付けられている。この摘み部28を摘みながら、ユーザは、樹脂リング27を比較的簡単に散布口102に係合させることができる。
【００１７】
散布用ノズルのガイド機構
実際の散布作業においては、図６に示したように、包装袋の散布口102に散布用ノズル110が連結される。散布口102からキャップ102ａを取り外した後に現れるネジ部(図示せず)に対して、散布用ノズル110がネジ係合により固定される。散布用ノズル110は、鉛直フレーム12の下方部分に設けたガイド機構60により支持される。ガイド機構60は、散布口102から延びる散布用ノズル110に係合して、当該ノズルをユーザの背中側から前方側へと案内して、薬剤散布の作業性を高める。
【００１８】
図７は、ガイド機構60を詳細に説明する部分拡大図である。ガイド機構60は、板状本体61と、実際にノズル110と係合する保持板65と、で構成される。板状本体61は、鉛直フレーム12の周囲に、比較的大きな隙間をもって巻き付けるように連結されており、したがって、鉛直軸回りに自由に回動できる。鉛直フレーム12の下端付近にはピン材12ａが立設されており、板状本体61は、ピン材12ａの上に載るように保持されている。
【００１９】
保持板65は、断面が略Ｃ字状の弾性板材で構成されていて、ノズル110の周囲に係合する(図６参照)。保持板65は、２つのボルト部材62ａ、62ｂを用いて、板状本体61の表面に連結されている。板状本体61には長孔61ａが形成されており、一方のボルト部材62ｂがこの長孔61ａに通されている。したがって、保持板65は、ボルト部材62ａを中心として、板状本体61の表面に沿って回動可能である。したがって、ユーザの背中側から前方側へと案内されるノズル110の角度を適宜調節することが可能となる。
【００２０】
以上に図示して説明した実施形態では、背負具10に散布剤を収容した袋が吊り下げられていたが、背負具10に吊り下げられるのは袋である必要は無く、箱体等であってもよい。
【図面の簡単な説明】
【図１】従来の散布装置を説明する斜視図である。
【図２】図１の散布装置の使用方法を説明する斜視図である。
【図３】本発明の一実施形態に係る背負具を説明する斜視図である。
【図４】図３の背負具に吊下保持される散布剤包装袋の一例を示す斜視図である。
【図５】図４の散布剤包装袋を図３の背負具に吊り下げた状態を示す斜視図である。
【図６】図５中の散布剤包装袋に散布用ノズルを連結した状態を示す斜視図である。
【図７】ガイド機構を詳細に説明する部分拡大図である。
【符号の説明】
１  金属フレーム
２  布袋
３  開口部
４  ノズル
10  背負具
11  水平フレーム
12、13  鉛直フレーム
15  フック取付板
16ａ、16ｂ  フック
18  肩掛けベルト
20、30、40  水平フレーム
21ａ、21ｂ、31、41ａ、41ｂ  クッション材
25  布材
26  ストラップ
27  樹脂製リング
28  摘み部
50  折畳式脚部
51  底部フレーム
52、53  平行フレーム
55  ストラップ
60  ガイド機構
61  板状本体
65  保持板
100  包装袋
101  引掛用孔
102  散布口
102ａ  キャップ
110  散布用ノズル
【図１】
0004588260.tif 000002
【図２】
0004588260.tif 000003
【図３】
0004588260.tif 000004
【図４】
0004588260.tif 000005
【図５】
0004588260.tif 000006
【図６】
0004588260.tif 000007
【図７】
0004588260.tif 000008